(57)【要約】      （修正有）【課題】パッドの損傷を防止し、入射光を制御して光漏れおよび輝点を防止し、画像品位およびデザインが改善された液晶表示装置を提供する。【解決手段】第１基板１２２および第２基板１２４と、第１基板１２２と第２基板１２４との間の液晶層を含む液晶パネル１２０と、第１基板１２２の外面に順次配置される第１偏光フィルム１２６および光学フィルム１２８と、液晶パネル１２０の下部に配置されるバックライトユニット１４０と、バックライトユニット１４０の下部に配置される第１フレーム１４２と、バックライトユニット１４０の側面を取り囲む第２フレーム１４４と、第２フレーム１４４の上に配置されるパッド１５０と、液晶パネル１２０とパッド１５０との間に配置される粘着層１５２と、を備え、光学フィルム１２８は、パッド１５０から離隔し、第１偏光フィルム１２６は、パッド１５０と重なる。【選択図】図３
2019101434.tif 000002
【特許請求の範囲】
【請求項１】
第１基板および第２基板と、前記第１基板と前記第２基板との間の液晶層を含む液晶パネルと、
前記第１基板の外面に配置される第１偏光フィルムと、
前記第１偏光フィルムの外面に配置される光学フィルムと、
前記液晶パネルの下部に配置されるバックライトユニットと、
前記バックライトユニットの下部に配置される第１フレームと、
前記バックライトユニットの側面に隣接した第２フレームと、
前記第２フレームの上に配置され、前記光学フィルムから離隔されたパッドであって、前記第１偏光フィルムが前記パッドの上に置かれ、前記パッドと重なる、パッドと、
前記液晶パネルと前記パッドとの間に配置される粘着層と、を備える、液晶表示装置。
【請求項２】
前記第１偏光フィルムと前記パッドの重畳領域の幅は、前記パッドの幅の７０％以下である、請求項１に記載の液晶表示装置。
【請求項３】
前記第１偏光フィルムの厚さは、１００μｍ以下である、請求項１に記載の液晶表示装置。
【請求項４】
前記粘着層の屈折率は、前記第１基板の屈折率と同一である、請求項１に記載の液晶表示装置。
【請求項５】
前記粘着層は、吸光物質を含む、請求項１に記載の液晶表示装置。
【請求項６】
前記液晶パネルから放出される総漏出光量に対する前記第１偏光フィルム、前記粘着層および前記パッドによる減衰光量の割合と定義される漏出減衰率は、５０％以上である、請求項５に記載の液晶表示装置。
【請求項７】
前記光学フィルムは、水平方向に沿って配置された単層のプリズムパターンを含み、
前記第１偏光フィルムと前記パッドの重畳領域は、前記液晶パネルの左右２辺に配置される、請求項１に記載の液晶表示装置。
【請求項８】
前記光学フィルムは、垂直方向に沿って配置された単層のプリズムパターンを含み、
前記第１偏光フィルムと前記パッドの重畳領域は、前記液晶パネルの上下２辺に配置される、請求項１に記載の液晶表示装置。
【請求項９】
前記光学フィルムは、水平方向および垂直方向に沿って配置された２層のプリズムパターンを含み、
前記第１偏光フィルムと前記パッドの重畳領域は、前記液晶パネルの上下左右４辺に配置される、請求項１に記載の液晶表示装置。
【請求項１０】
前記光学フィルムと前記パッドとの間の離隔スペースに対応する前記第１偏光フィルムの下部に配置されるブラックパターンをさらに備える、請求項１に記載の液晶表示装置。
【請求項１１】
前記液晶パネルから放出される総漏出光量に対する前記第１偏光フィルムおよび前記ブラックパターンによる減衰光量の割合と定義される漏出減衰率は、４１％である、請求項１０に記載の液晶表示装置。
【請求項１２】
前記第１基板と前記粘着層との間に配置されるブラックパターンをさらに備える、請求項１に記載の液晶表示装置。
【請求項１３】
前記液晶パネルから放出される総漏出光量に対する前記第１偏光フィルムおよび前記ブラックパターンによる減衰光量の割合と定義される漏出減衰率は、７４％である、請求項１２に記載の液晶表示装置。
【請求項１４】
第１基板および第２基板と、前記第１基板と前記第２基板との間の液晶層を含む液晶パネルと、
前記液量パネルの下部に配置されるバックライトユニットと、
前記バックライトユニットの下部に配置される第１フレームと、
前記バックライトユニットの側面に隣接した第２フレームと、
前記第２フレームの上に配置されるパッドと、
前記パッドの上に配置され、前記第１基板の外面と前記第２フレームの前記パッドとの間に配置される第１偏光フィルムと、
前記第１偏光フィルムの外面に配置され、前記パッドから離隔する光学フィルムと、を備える、液晶表示装置。
【請求項１５】
前記第１偏光フィルムに隣接し、前記第２フレームと前記第１基板の外面との間に配置される粘着層をさらに備える、請求項１４に記載の液晶表示装置。
【請求項１６】
前記粘着層は、吸光物質を含む、請求項１５に記載の液晶表示装置。
【請求項１７】
前記第１偏光フィルムの外面に配置される前記光学フィルムと前記パッドとの間におけるスペースに置かれるブラックパターンをさらに備える、請求項１４に記載の液晶表示装置。
【請求項１８】
前記第１偏光フィルムに接触する前記パッドの面積は、７０％より小さく、前記粘着層に接触する前記パッドの面積は、３０％より大きい、請求項１７に記載の液晶表示装置。
【請求項１９】
前記第１基板の外面と前記パッドとの間に配置されるブラックパターンをさらに備える、請求項１４に記載の液晶表示装置。
【発明の詳細な説明】
【技術分野】
【０００１】
本発明は、液晶表示装置に関するものであって、特に光学フィルムはパッドから離隔させ、偏光フィルムはパッドと重ねることで、入射光を制御し、光漏れおよび輝点を防止して、画像品位およびデザインが改善された液晶表示装置に関するものである。
【背景技術】
【０００２】
近来、情報化社会への進展に伴って大量の情報を処理・表示するディスプレイ分野が発展しており、薄型・軽量・低消費電力といった長所を持つフラット表示装置（ｆｌａｔ  ｐａｎｅｌ  ｄｉｓｐｌａｙ）に対する要望が高まっている。
【０００３】
それに応じて、色の再現性に優れた薄型の薄膜トランジスタ液晶表示装置（ｔｈｉｎ  ｆｉｌｍ  ｔｒａｎｓｉｓｔｏｒ  ｌｉｑｕｉｄ  ｃｒｙｓｔａｌ  ｄｉｓｐｌａｙ：ＴＦＴ‐ＬＣＤ）が開発されたが、液晶表示装置は、液晶の光学的異方性および分極性質を利用して映像を表示する。
【０００４】
最近は、かかる液晶表示装置がスマートフォンやタブレットＰＣなど、携帯用端末に広く用いられているが、携帯用端末に用いるため、構造の単純化した液晶表示装置が提案されている。
【０００５】
かかる液晶表示装置を、図面を参照して説明する。
【０００６】
図１は、従来の液晶表示装置を示す断面図である。
【０００７】
図１に示すように、従来の液晶表示装置１０は、液晶パネル２０、バックライトユニット４０、第１および第２フレーム４２、４４を含む。
【０００８】
液晶パネル２０は、互いに対向して離隔する第１および第２基板２２、２４と、第１基板２２と第２基板２４との間に配置される液晶層（図２の２５）を含む。
【０００９】
第１基板２２の外面には、第１偏光フィルム２６および光学フィルム２８が順次配置され、第２基板２４の外面には、第２偏光フィルム３０が配置され、第１および第２基板２２、２４の側面には、サイドシーラント３２が配置される。
【００１０】
バックライトユニット４０は、液晶パネル２０の下部に配置されて、液晶パネル２０へ光を供給する。
【００１１】
第１および第２フレーム４２、４４は、液晶パネル２０およびバックライトユニット４０をモジュール化するが、第１フレーム４２は、バックライトユニット４０の下部に配置され、第２フレーム４４は、バックライトユニット４０の側面を取り囲むように配置されて、第１フレーム４２と結合する。
【００１２】
液晶パネル２０は、第２フレーム４４によって支持されるが、第２フレーム４４の上には、衝撃および振動を吸収するためのパッド５０が配置され、液晶パネル２０は、粘着層５２を介して第２フレーム４４に貼り付けられる。
【００１３】
このような従来の液晶表示装置１０において、光学フィルム２８をパッド５０に重なるように配置した場合、高温の環境下で、光学フィルム２８から気体が噴出してパッド５０に染みのような不良が発生し、かかる不良によって液晶表示装置１０の画像品位が低下するという問題があった。
【００１４】
これを防止するため、従来の液晶表示装置１０では、第１偏光フィルム２６および光学フィルム２８を、パッド５０から離隔するように配置するが、この場合、第１偏光フィルム２６および光学フィルム２８と、パッド５０との間の離隔区間を通って、バックライトユニット４０の光が第１基板２２へ入射し、光漏れおよび輝点のような不良が発生する。図面を参照し、これについて説明する。
【００１５】
図２は、図１の領域Ａを拡大した図面であって、図１を共に参照して説明する。
【００１６】
図２に示すように、バックライトユニット４０から放出された第１光Ｌ１は、第１偏光フィルム２６および光学フィルム２８と、パッド５０との間の離隔区間を通って第１基板２２へ入射した後、第１基板２２と液晶層２５との間の界面、および第１基板２２と粘着層５２との間の界面で全反射して進む第２光Ｌ２となる。
【００１７】
第２光Ｌ２は、第１および第２基板２２、２４の端部の斜面で外部へ散乱するため、液晶パネル２０の端部の斜面が明るく見える光漏れのような不良が発生する。
【００１８】
そして、第２光Ｌ２は、第１および第２基板２２、２４の端部に配置されたサイドシーラント３２から外部へ放出されるため、液晶パネル２０の端部の外側が明るく見える輝点のようは不良が発生する。
【００１９】
このような光漏れおよび輝点のため、液晶表示装置１０の画像品位が低下し、液晶表示装置１０のデザイン性が落ちるという問題があった。
【発明の概要】
【発明が解決しようとする課題】
【００２０】
本発明は、かかる問題を解決するために提示されたものであって、光学フィルムをパッドから離隔させ、第１偏光フィルムをパッドと重なるように配置することで、パッドの損傷を防止し、入射光を制御して光漏れおよび輝点を防止し、画像品位およびデザインが改善された液晶表示装置を提供することを第１の目的とする。
【００２１】
また、本発明は、第１基板とパッドとの間の粘着層の屈折率を第１基板と同一に設定することで、入射光の全反射を制御して光漏れおよび輝点を防止し、画像品位およびデザインが改善された液晶表示装置を提供することを第２の目的とする。
【００２２】
さらに、本発明は、第１偏光フィルムの下部、または第１基板の下部にブラックパターンを配置することで、入射光を減衰させて光漏れおよび輝点を防止し、画像品位およびデザインが改善された液晶表示装置を提供することを第３の目的とする。
【課題を解決するための手段】
【００２３】
前述した課題を解決するため、本発明は、第１および第２基板、そして前記第１基板と前記第２基板との間の液晶層を含む液晶パネルと、前記第１基板の外面に順次配置される第１偏光フィルムおよび光学フィルムと、前記液晶パネルの下部に配置されるバックライトユニットと、前記バックライトユニットの下部に配置される第１フレームと、前記バックライトユニットの側面を取り囲む第２フレームと、前記第２フレームの上に配置されるパッドと、前記液晶パネルと前記パッドとの間に配置される粘着層とを備え、前記光学フィルムは、前記パッドから離隔し、前記第１偏光フィルムは、前記パッドと重なる液晶表示装置を提供する。
【００２４】
そして、前記第１偏光フィルムと前記パッドの重畳領域の幅は、前記パッドの幅の７０％以下であり、前記第１偏光フィルムの厚さは、１００μｍ以下であり得る。
【００２５】
また、前記粘着層の屈折率は、前記第１基板の屈折率と同一であってもよい。
【００２６】
そして、前記粘着層は、吸光物質を含むことができる。
【００２７】
また、前記光学フィルムは、横方向に沿って配置された単層のプリズムパターンを含み、前記第１偏光フィルムと前記パッドの重畳領域は、前記液晶パネルの左右２辺に対応することができる。
【００２８】
そして、前記光学フィルムは、縦方向に沿って配置された単層のプリズムパターンを含み、前記第１偏光フィルムと前記パッドの重畳領域は、前記液晶パネルの上下２辺に対応することができる。
【００２９】
さらに、前記光学フィルムは、横方向および縦方向に沿って配置された２層のプリズムパターンを含み、前記第１偏光フィルムと前記パッドの重畳領域は、前記液晶パネルの上下左右４辺に対応することができる。
【００３０】
そして、前記液晶表示装置は、前記光学フィルムと前記パッドとの間の離隔区間における前記第１偏光フィルムの下部に配置されるブラックパターンをさらに備えることができる。
【００３１】
また、前記液晶表示装置は、前記第１基板と前記粘着層との間に配置されるブラックパターンをさらに備えることができる。
【発明の効果】
【００３２】
本発明は、光学フィルムをパッドから離隔させ、第１偏光フィルムをパッドと重なるように配置することで、パッドの損傷を防止し、入射光を制御して光漏れおよび輝点を防止し、画像品位およびデザインが改善される効果を有する。
【００３３】
また、本発明は、第１基板とパッドとの間の粘着層の屈折率を第１基板と同一に設定することで、入射光の全反射を制御して光漏れおよび輝点を防止し、画像品位およびデザインが改善される効果を有する。
【００３４】
さらに、本発明は、第１偏光フィルムの下部、または第１基板の下部にブラックパターンを配置することで、入射光を減衰させて光漏れおよび輝点を防止し、画像品位およびデザインが改善される効果を有する。
【図面の簡単な説明】
【００３５】
【図１】従来の液晶表示装置を示す断面図である。
【図２】図１の領域Ａを拡大した図面である。
【図３】本発明の第１実施例に係る液晶表示装置を示す断面図である。
【図４】本発明の第２実施例に係る液晶表示装置を示す断面図である。
【図５】本発明の第３実施例に係る液晶表示装置を示す断面図である。
【発明を実施するための形態】
【００３６】
以下、図面を参照し、本発明に係る液晶表示装置を説明する。
【００３７】
図３は、本発明の第１実施例に係る液晶表示装置を示す断面図である。
【００３８】
図３に示すように、本発明の第１実施例に係る液晶表示装置１１０は、液晶パネル１２０、バックライトユニット１４０、第１および第２フレーム１４２、１４４を備える。
【００３９】
液晶パネル１２０は、互いに対向して離隔する第１および第２基板１２２、１２４と、第１基板１２２と第２基板１２４との間に配置される液晶層（不図示）を含む。
【００４０】
図面に示していないが、第１基板１２２の内面には、互いに交差して画素を定義するゲート配線およびデータ配線を配置し、各画素には、ゲート配線およびデータ配線に接続される薄膜トランジスタと、薄膜トランジスタに接続される画素電極を配置することができる。
【００４１】
第２基板１２４の内面には、共通電極を配置することができる。
【００４２】
第１基板１２２の外面には、第１偏光フィルム１２６および光学フィルム１２８が順次配置され、第２基板１２４の外面には第２偏光フィルム１３０が配置され、第１および第２基板１２２、１２４の側面にはサイドシーラント１３２が配置される。
【００４３】
光学フィルム１２８は、バックライトユニット１４０から供給される光を拡散・集光して均一にする働きをするが、複数の拡散シートおよび複数の集光シートを含むことができる。
【００４４】
第１偏光フィルム１２６は、光学フィルム１２８を通過した非偏光の光のうち、特定偏光の光のみを選択的に通過させ、第２偏光フィルム１３０は、第１偏光フィルム１２６および液晶層を通過した光のうち、特定偏光の光のみを選択的に通過させる役割をするが、第１および第２偏光フィルム１２６、１３０の偏光軸は、垂直であってもよく、平行であってもよい。
【００４５】
第１偏光フィルム１２６および光学フィルム１２８は、一体型に形成することができる。
【００４６】
サイドシーラント１３２は、外部へ露出された第１および第２基板１２２、１２４の側面を保護する役割をする。
【００４７】
バックライトユニット１４０は、液晶パネル１２０の下部に配置され、液晶パネル１２０に光を供給する。
【００４８】
図面に示していないが、エッジ型のバックライトユニット１４０は、液晶パネル１２０の縁部に対応するように配置され、光を放出する光源と、液晶パネル１２０の直下部に配置され、光源の光を面光源に変換する導光板を含み、直下型のバックライトユニット１４０は、液晶パネル１２０の直下部に配置され、光を放出する複数の光源と、複数の光源の上部に配置され、複数の光源の光を均一にする拡散板を含むことができる。
【００４９】
第１および第２フレーム１４２、１４４は、液晶パネル１２０およびバックライトユニット１４０をモジュール化する。
【００５０】
ボトムフレームと呼ばれる第１フレーム１４２は、板状であり、バックライトユニット１４０の下部に配置される。
【００５１】
メインフレーム、メインサポート、モールドフレーム、若しくはミドルキャビネットと呼ばれる第２フレーム１４４は、その上部に折曲部を有する四角フレーム状であり、バックライトユニット１４０の側面を取り囲むように配置されて第１フレーム１４２と結合される。
【００５２】
液晶パネル１２０は、第２フレーム１４４によって支持されるが、第２フレーム１４４の折曲部の上には、衝撃および振動を吸収するためのパッド１５０が配置され、パッド１５０の上には粘着層１５２が配置されて、液晶パネル１２０は、粘着層１５２およびパッド１５０を介し、第２フレーム１４４の折曲部に貼り付けられる。
【００５３】
パッド１５０および粘着層１５２は、液晶パネル１２０の４辺に沿って配置することができる。
【００５４】
具体的に、光学フィルム１２８は、パッド１５０に接触しないよう、パッド１５０から離隔して配置され、第１偏光フィルム１２６は、パッド１５０に接触するよう、パッド１５０と重なって配置される。
【００５５】
すなわち、パッド１５０は、第１幅ｗ１だけ第１偏光フィルム１２６と重畳し、第２幅ｗ２だけ第１偏光フィルム１２６と重ならず、外側へ露出され得る。
【００５６】
このとき、粘着層１５２は、第１偏光フィルム１２６の外側に露出される第２幅ｗ２のパッド１５０と第１基板１２２との間に配置されるが、他の実施例においては、粘着層１５２が、第１偏光フィルム１２６と第１幅ｗ１のパッド１５０との間に配置されてもよい。
【００５７】
このように、第１偏光フィルム１２６を外側へ延伸し、パッド１５０と第１幅ｗ１だけ重畳するよう、パッド１５０と第１基板１２２との間に配置することで、バックライトユニット１４０から放出され、光学フィルム１２８とパッド１５０との間の離隔区間を通って入射する第１光Ｌ１１を、第１偏光フィルム１２６で約５０％に減衰させ、減衰した第２光Ｌ１２が、第１基板１２２へ入射する。
【００５８】
第１幅ｗ１と第２幅ｗ２の比（ｗ１：ｗ２）は、第１偏光フィルム１２６による第１光Ｌ１１の減衰率および粘着層１５２による付着力によって決定され得る。
【００５９】
例えば、約６０μｍの厚さｔを有する第１偏光フィルム１２６に対し、第１幅ｗ１と第２幅ｗ２の比（ｗ１：ｗ２）が６：４、および７：３の場合は、第１光Ｌ１１が減衰すると共に、液晶パネル１２０と第２フレーム１４４が十分な付着力で付着される一方、第１幅ｗ１と第２幅ｗ２の比（ｗ１：ｗ２）が８：２の場合は、第１光Ｌ１１は減衰するものの、液晶パネル１２０と第２フレーム１４４との間の付着力が減少して、液晶表示装置１１０を保持し難くなる可能性がある。
【００６０】
すなわち、第１偏光フィルム１２６とパッド１５０の重畳領域の第１幅ｗ１は、パッド１５０の幅（ｗ１＋ｗ２）の約７０％以下であり得る。
【００６１】
そして、第１偏光フィルム１２６とパッド１５０の重畳領域は、液晶パネル１２０の４辺のうち、少なくとも１つに対応することができる。
【００６２】
例えば、液晶パネル１２０を正面から見て、光学フィルム１２８が横方向（水平方向）に沿って配置された単層のプリズムパターンを含む場合、第１偏光フィルム１２６とパッド１５０の重畳領域は、液晶パネル１２０の左右２辺において、約０．０５ｍｍの第１幅ｗ１で形成し、光学フィルム１２８が縦方向（垂直方向）に沿って配置された単層のプリズムパターンを含む場合、第１偏光フィルム１２６とパッド１５０の重畳領域は、液晶パネル１２０の上下２辺において、約０．０５ｍｍの第１幅ｗ１で形成することができる。
【００６３】
液晶パネル１２０を正面から見て、光学フィルム１２８が、横方向（水平方向）および縦方向（垂直方向）に沿って配置された２層のプリズムパターンを含む場合、第１偏光フィルム１２６とパッド１５０の重畳領域は、液晶パネル１２０の上下左右４辺において、約０．０５ｍｍの第１幅ｗ１で形成することができる。
【００６４】
また、第１偏光フィルム１２６の厚さｔが増加するにつれて、高温・高湿の環境下では、粘着層１５２の付着力が低下する。例えば、第１幅ｗ１と第２幅ｗ２の比（ｗ１：ｗ２）が７：３の場合において、第１偏光フィルム１２６の厚さｔが、約６０μｍの場合と１００μｍの場合、粘着層１５２は、高温・高湿の環境下でも十分な付着力を有する一方、第１偏光フィルム１２６の厚さｔが、約１２０μｍであると、高温・高湿の環境下で、粘着層１５２の付着力が減少して、液晶パネル１２０が第２フレーム１４４から外れることがある。
【００６５】
すなわち、第１偏光フィルム１２６の厚さｔは、約１００μｍであり得る。
【００６６】
一方、粘着層１５２の屈折率ｎａは、第１基板１２２の屈折率ｎｓと実質的に同一であるように設定するが、それにより、第１基板１２２内を進む第２光Ｌ１２は、第１基板１２２と粘着層１５２との間の界面で全反射せず、そのまま直進し、粘着層１５２とパッド１５０との間の界面に入射する。
【００６７】
このとき、パッド１５０は、第１基板１２２または粘着層１５２に比べ、吸光性が相対的に高いので、第２光Ｌ１２は、粘着層１５２とパッド１５０との間の界面において、第１光Ｌ１１の約７％だけ減衰し、減衰した第３光Ｌ１３が、第１基板１２２内を進んでサイドシーラント１３２に到達する。
【００６８】
したがって、本発明の第１実施例に係る液晶表示装置１１０においては、パッド１５０と重畳する第１偏光フィルム１２６と、第１基板１２２と同じ屈折率を有する粘着層１５２とによって、光学フィルム１２８とパッド１５０との間の離隔区間に入射する第１光Ｌ１１の約５７％が減衰し、第１光Ｌ１１の約４３％に該当する、減衰した第３光Ｌ１３が、液晶パネル１２０の端部に到達するので、光漏れおよび輝点のような不良が防止され、液晶表示装置１１０の画像品位およびデザインが改善される。
【００６９】
第１実施例では、粘着層１５２を、第１基板１２２と同じ屈折率の物質から構成して、第２光Ｌ１２が第１基板１２２と粘着層１５２との間の界面において全反射せず、直進するようにしたが、他の実施例では、粘着層１５２にカーボンやブラックインクといった吸光物質を加え、第２光Ｌ１２が粘着層１５２を通過する間に減衰するようにすることができる。この場合、液晶パネル１２０の端部に到達する第３光Ｌ１３をさらに減衰させることができる。
【００７０】
例えば、第１基板１２２の屈折率が約１．５の場合、粘着層１５２の屈折率が約１．４９であると、第１偏光フィルム１２６、粘着層１５２およびパッド１５０による減衰光量の、液晶パネル１２０の外部に漏れる総光量に対する割合（例えば、（Ｌ１２−Ｌ１３）／Ｌ１３）と定義される漏出減衰率は、約１６％であり、粘着層１５２の屈折率が約１．５１の場合は、漏出減衰率が約１８％である一方、粘着層１５２の屈折率が約１．５１であって粘着層１５２に吸光物質が加えられると、漏出減衰率は約５２％であり得る。
【００７１】
以上のように、本発明の第１実施例に係る液晶表示装置１１０においては、第１偏光フィルム１２６を外側に延伸し、パッド１５０と重なるように、パッド１５０と第１基板１２２との間に配置することで、バックライトユニット１４０から放出され、光学フィルム１２８とパッド１５０との間の離隔区間を通って入射する光を、第１偏光フィルム１２６で減衰させることができる。そして、粘着層１５２の屈折率を、第１基板１２２の屈折率と同一に設定することで、第１基板１２２内を進む光が、第１基板１２２と粘着層１５２との間の界面において全反射せず、直進するようにして、パッド１５０で減衰させることができる。したがって、光漏れおよび輝点のような不良が防止され、液晶表示装置１１０の画像品位およびデザインが改善される。
【００７２】
一方、他の実施例では、光学フィルムとパッドとの間の離隔区間における第１偏光フィルムの下部にブラックパターンを配置し、光漏れおよび輝点を防止することができるが、これについて、図面を参照して説明する。
【００７３】
図４は、本発明の第２実施例に係る液晶表示装置を示す断面図であって、第１実施例と同じ部分に対する説明は省略する。
【００７４】
図４に示すように、本発明の第２実施例に係る液晶表示装置２１０は、液晶パネル２２０、バックライトユニット２４０、第１および第２フレーム２４２、２４４を備える。
【００７５】
液晶パネル２２０は、互いに対向して離隔する第１および第２基板２２２、２２４と、第１基板２２２と第２基板２２４との間に配置される液晶層（不図示）を含む。
【００７６】
第１基板２２２の外面には、第１偏光フィルム２２６および光学フィルム２２８が順次配置され、第２基板２２４の外面には第２偏光フィルム２３０が配置され、第１および第２基板２２２、２２４の側面にはサイドシーラント２３２が配置される。
【００７７】
光学フィルム２２８は、バックライトユニット２４０から供給される光を拡散・集光して均一にする働きをするが、複数の拡散シートおよび複数の集光シートを含むことができる。
【００７８】
第１偏光フィルム２２６は、光学フィルム２２８を通過した非偏光の光のうち、特定偏光の光のみを選択的に通過させ、第２偏光フィルム２３０は、第１偏光フィルム２２６および液晶層を通過した光のうち、特定偏光の光のみを選択的に通過させる役割をするが、第１および第２偏光フィルム２２６、２３０の偏光軸は、垂直であってもよく、平行であってもよい。
【００７９】
第１偏光フィルム２２６および光学フィルム２２８は、一体型に形成することができる。
【００８０】
サイドシーラント２３２は、外部へ露出された第１および第２基板２２２、２２４の側面を保護する役割をする。
【００８１】
バックライトユニット２４０は、液晶パネル２２０の下部に配置され、液晶パネル２２０に光を供給する。
【００８２】
第１および第２フレーム２４２、２４４は、液晶パネル２２０およびバックライトユニット２４０をモジュール化する。
【００８３】
ボトムフレームと呼ばれる第１フレーム２４２は、板状であり、バックライトユニット２４０の下部に配置される。
【００８４】
メインフレーム、メインサポート、モールドフレーム、若しくはミドルキャビネットと呼ばれる第２フレーム２４４は、その上部に折曲部を有する四角フレーム状であり、バックライトユニット２４０の側面を取り囲むように配置されて第１フレーム２４２と結合される。
【００８５】
液晶パネル２２０は、第２フレーム２４４によって支持されるが、第２フレーム２４４の折曲部の上には、衝撃および振動を吸収するためのパッド２５０が配置され、パッド２５０の上には粘着層２５２が配置されて、液晶パネル２２０は、粘着層２５２およびパッド２５０を介し、第２フレーム２４４の折曲部に貼り付けられる。
【００８６】
パッド２５０および粘着層２５２は、液晶パネル２２０の４辺に沿って配置することができる。
【００８７】
具体的に、光学フィルム２２８は、パッド２５０に接触しないよう、パッド２５０から離隔して配置され、第１偏光フィルム２２６は、パッド２５０に接触するよう、パッド２５０と重なって配置される。
【００８８】
すなわち、パッド２５０は、第１幅（図３のｗ１）だけ第１偏光フィルム２２６と重畳し、第２幅（図３のｗ２）だけ第１偏光フィルム２２６と重ならず、外側へ露出され得る。
【００８９】
このとき、粘着層２５２は、第１偏光フィルム２２６の外側に露出される第２幅ｗ２のパッド２５０と第１基板２２２との間に配置されるが、他の実施例においては、粘着層２５２が、第１偏光フィルム２２６と第１幅ｗ１のパッド２５０との間に配置されてもよい。
【００９０】
そして、光学フィルム２２８とパッド２５０との間の離隔区間における第１偏光フィルム２２６の下部には、ブラックパターン２５４が配置されるが、ブラックパターン２５４は、約０．０５ｍｍ以下の幅を有することができる。
【００９１】
このように、第１偏光フィルム２２６を外側へ延伸し、パッド２５０と第１幅ｗ１だけ重畳するよう、パッド２５０と第１基板２２２との間に配置して、光学フィルム２２８とパッド２５０との間の離隔区間における第１偏光フィルム２２６の下部に、ブラックパターン２５４を配置することで、バックライトユニット２４０から放出され、光学フィルム２２８とパッド２５０との間の離隔区間を通って入射する第１光Ｌ２１の約６０％以上を、ブラックパターン２５４および第１偏光フィルム２２６で減衰させ、減衰した第２光Ｌ２２が、第１基板２２２へ入射する。
【００９２】
例えば、第２実施例に係る液晶表示装置２１０における液晶パネル２２０の外部に漏れる総光量に対する、第１偏光フィルム２２６およびブラックパターン２５４による減衰光量の割合と定義される漏出減衰率は、約４１％であり得る。
【００９３】
一方、粘着層２５２の屈折率ｎａは、第１基板２２２の屈折率ｎｓと実質的に同一であるように設定することができるが、それにより、第１基板２２２内を進む第２光Ｌ２２は、第１基板２２２と粘着層２５２との間の界面で全反射せず、そのまま直進し、粘着層２５２とパッド２５０との間の界面に入射することができる。
【００９４】
このとき、パッド２５０は、第１基板２２２または粘着層２５２に比べ、吸光性が相対的に高いので、第２光Ｌ２２は、粘着層２５２とパッド２５０との間の界面において、第１光Ｌ２１の約７％だけ減衰し、減衰した第３光（不図示）が、第１基板２２２内を進むことができる。
【００９５】
以上のように、本発明の第２実施例に係る液晶表示装置２１０においては、第１偏光フィルム２２６を外側に延伸し、パッド２５０と重なるように、パッド２５０と第１基板２２２との間に配置して、光学フィルム２２８とパッド２５０との間の離隔区間における第１偏光フィルム２２６の下部に、ブラックパターン２５４を配置することで、バックライトユニット２４０から放出され、光学フィルム２２８とパッド２５０との間の離隔区間を通って入射する光を、ブラックパターン２５４および第１偏光フィルム２２６で減衰させることができる。したがって、光漏れおよび輝点のような不良が防止され、液晶表示装置２１０の画像品位およびデザインが改善される。
【００９６】
図５は、本発明の第３実施例に係る液晶表示装置を示す断面図であって、第１および第２実施例と同じ部分に対する説明は省略する。
【００９７】
図５に示すように、本発明の第３実施例に係る液晶表示装置３１０は、液晶パネル３２０、バックライトユニット３４０、第１および第２フレーム３４２、３４４を備える。
【００９８】
液晶パネル３２０は、互いに対向して離隔する第１および第２基板３２２、３２４と、第１基板３２２と第２基板３２４との間に配置される液晶層（不図示）を含む。
【００９９】
第１基板３２２の外面には、第１偏光フィルム３２６および光学フィルム３２８が順次配置され、第２基板３２４の外面には第２偏光フィルム３３０が配置され、第１および第２基板３２２、３２４の側面にはサイドシーラント３３２が配置される。
【０１００】
光学フィルム３２８は、バックライトユニット３４０から供給される光を拡散・集光して均一にする働きをするが、複数の拡散シートおよび複数の集光シートを含むことができる。
【０１０１】
第１偏光フィルム３２６は、光学フィルム３２８を通過した非偏光の光のうち、特定偏光の光のみを選択的に通過させ、第２偏光フィルム３３０は、第１偏光フィルム３２６および液晶層を通過した光のうち、特定偏光の光のみを選択的に通過させる役割をするが、第１および第２偏光フィルム３２６、３３０の偏光軸は、垂直であってもよく、平行であってもよい。
【０１０２】
第１偏光フィルム３２６および光学フィルム３２８は、一体型に形成することができる。
【０１０３】
サイドシーラント３３２は、外部へ露出された第１および第２基板３２２、３２４の側面を保護する役割をする。
【０１０４】
バックライトユニット３４０は、液晶パネル３２０の下部に配置され、液晶パネル３２０に光を供給する。
【０１０５】
第１および第２フレーム３４２、３４４は、液晶パネル３２０およびバックライトユニット３４０をモジュール化する。
【０１０６】
ボトムフレームと呼ばれる第１フレーム３４２は、板状であり、バックライトユニット３４０の下部に配置される。
【０１０７】
メインフレーム、メインサポート、モールドフレーム、若しくはミドルキャビネットと呼ばれる第２フレーム３４４は、その上部に折曲部を有する四角フレーム状であり、バックライトユニット３４０の側面を取り囲むように配置されて第１フレーム３４２と結合される。
【０１０８】
液晶パネル３２０は、第２フレーム３４４によって支持されるが、第２フレーム３４４の折曲部の上には、衝撃および振動を吸収するためのパッド３５０が配置され、パッド３５０の上には粘着層３５２が配置されて、液晶パネル３２０は、粘着層３５２およびパッド３５０を介し、第２フレーム３４４の折曲部に貼り付けられる。
【０１０９】
パッド３５０および粘着層３５２は、液晶パネル３２０の４辺に沿って配置することができる。
【０１１０】
具体的に、光学フィルム３２８は、パッド３５０に接触しないよう、パッド３５０から離隔して配置され、第１偏光フィルム３２６は、パッド３５０に接触するよう、パッド３５０と重なって配置される。
【０１１１】
すなわち、パッド３５０は、第１幅（図３のｗ１）だけ第１偏光フィルム３２６と重畳し、第２幅（図３のｗ２）だけ第１偏光フィルム３２６と重ならず、外側へ露出され得る。
【０１１２】
このとき、粘着層３５２は、第１偏光フィルム３２６の外側に露出される第２幅ｗ２のパッド３５０と第１基板３２２との間に配置されるが、他の実施例においては、粘着層３５２が、第１偏光フィルム３２６と第１幅ｗ１のパッド３５０との間に配置されてもよい。
【０１１３】
そして、第１基板３２２と粘着層３５２との間には、ブラックパターン３５６が配置される。
【０１１４】
このように、第１偏光フィルム３２６を外側へ延伸し、パッド３５０と第１幅ｗ１だけ重畳するよう、パッド３５０と第１基板３２２との間に配置することで、バックライトユニット３４０から放出され、光学フィルム３２８とパッド３５０との間の離隔区間を通って入射する第１光Ｌ３１を、第１偏光フィルム３２６で約５０％減衰させ、減衰した第２光Ｌ３２が、第１基板３２２へ入射する。そして、ブラックパターン３５６を、第１基板３２２と粘着層３５２との間に配置することで、第１基板３２２内を進む第２光Ｌ３２をブラックパターン３５４で減衰させ、減衰した第３光Ｌ３３が第１基板３２２内を進んでサイドシーラント３３２に到達する。
【０１１５】
例えば、第３実施例に係る液晶表示装置３１０における液晶パネル３２０の外部に漏れる総光量に対する、第１偏光フィルム３２６およびブラックパターン３５６による減衰光量の割合と定義される漏出減衰率は、約７４％であり得る。
【０１１６】
以上のように、本発明の第３実施例に係る液晶表示装置３１０においては、第１偏光フィルム３２６を外側に延伸し、パッド３５０と重なるように、パッド３５０と第１基板３２２との間に配置して、ブラックパターン３５６を、第１基板３２２と粘着層３５２との間に配置することで、バックライトユニット３４０から放出され、光学フィルム３２８とパッド３５０との間の離隔区間を通って入射する光を、第１偏光フィルム２２６で減衰させ、第１基板３２２内を進む光をブラックパターン３５６で減衰させることができる。したがって、光漏れおよび輝点のような不良が防止され、液晶表示装置３１０の画像品位およびデザインが改善される。
【０１１７】
以上、上記では、本発明の好適な実施例を参照して説明したが、当該技術分野における通常の知識を有する者であれば、特許請求の範囲に記載された本発明の技術的思想および領域から逸脱しない範囲内で、本発明を様々に修正および変更できることを理解できるであろう。
【符号の説明】
【０１１８】
１１０…液晶表示装置、１２０…液晶パネル、１２２、１２４…第１および第２基板、１２６、１３０…第１および第２偏光フィルム、１２８…光学フィルム、１４０…バックライトユニット、１３２…サイドシーラント、１４２、１４４…第１および第２フレーム、１５０…パッド、１５２…粘着層 
【図１】
2019101434.tif 000003
【図２】
2019101434.tif 000004
【図３】
2019101434.tif 000005
【図４】
2019101434.tif 000006
【図５】
2019101434.tif 000007